(57)【要約】      （修正有）【課題】三元色Ｒ、Ｇ、Ｂ以外に、白色発光ダイオードを追加することにより、電力消費の低減を図ったＬＥＤ表示装置を提供する。【解決手段】イメージに関するデータを受信するデータ受信ユニットと、受信するイメージデータを他のデータに変換するデータ変換ユニットと、変換後のデータを表示する発光ダイオード表示ユニットと、を含む。発光ダイオード表示ユニットは複数の発光ダイオードセット２０を含み、ここで、各発光ダイオードセットは、赤色光ダイオード、緑色発光ダイオード、青色発光ダイオード、白色発光ダイオードから構成される。【選択図】図３
0003170821.tif 000002
【実用新案登録請求の範囲】
【請求項１】
イメージに関するデータを受信するデータ受信ユニットと、
前記データ受信ユニットが受信するイメージデータを他のデータに変換するデータ変換ユニットと、
前記データ変換ユニットのデータに従ってイメージを表示する発光ダイオード表示ユニットと、を含み、
前記発光ダイオード表示ユニットは、赤色光ダイオード、緑色発光ダイオード、青色発光ダイオード、白色発光ダイオードから構成される複数の発光ダイオードセットを含むことを特徴とする発光ダイオード表示装置。
【請求項２】
前記赤色光ダイオード、緑色発光ダイオード、青色発光ダイオード、白色発光ダイオードを駆動して発光するようにする駆動モジュールをさらに含むことを特徴とする請求項１に記載の発光ダイオード表示装置。
【請求項３】
１つの発光ダイオードセットが１つの画像を構成することを特徴とする請求項１に記載の発光ダイオード表示装置。
【考案の詳細な説明】
【技術分野】
【０００１】
本実用新案は表示装置に関し、特に発光ダイオード（Light Emitting Diode、ＬＥＤ）表示装置（ＬＥＤ表示装置とも言う）に関する。
【背景技術】
【０００２】
従来の発光ダイオード（Light Emitting Diode、ＬＥＤ）表示装置は、通常赤色（Ｒ）、緑色（Ｇ）、青色（Ｂ）から構成される三元色の技術を使う。図１に示すように、各画像１０は、赤色（Ｒ）、緑色（Ｇ）、青色（Ｂ）を有する３つの発光ダイオード部品から構成される。白色を表示しようとする場合、上述した赤色、緑色、青色の三色を混色させて白色を表示する。
【０００３】
上述した発光ダイオード表示装置は、所定のイメージを表示することができるが、赤色、緑色、青色の三色を混色させて白色を表示するので、電気エネルギーを多く消費する欠点がある。例えば、面積が７８．６ｍ2であるＰ１０の発光ダイオード表示装置の一日の電気消費量は約５９ＫＷである。即ち、発光ダイオード表示装置の一日の電気消費量と一般家庭の約７〜９個月の電気消費量がほとんど同じである。
【考案の概要】
【考案が解決しようとする課題】
【０００４】
本実用新案の主な目的は、赤色、緑色、青色の三色を混色させて白色を得なく、電気エネルギーを節約することができる発光ダイオード表示装置を提供することにある。
【課題を解決するための手段】
【０００５】
上記課題を解決するために本実用新案では、データ受信ユニットと、データ変換ユニットと、発光ダイオード表示ユニットと、を含む発光ダイオード表示装置を提供する。前記データ受信ユニッは、イメージに関するデータを受信し、前記データ変換ユニットは、前記データ受信ユニットが受信するイメージデータを他のデータに変換し、前記発光ダイオード表示ユニットは、前記データ変換ユニットのデータに従ってイメージを表示する。前記発光ダイオード表示ユニットは、赤色光ダイオード、緑色発光ダイオード、青色発光ダイオード、白色発光ダイオードから構成される。
【０００６】
前記発光ダイオード表示装置は、前記赤色光ダイオード、緑色発光ダイオード、青色発光ダイオード、白色発光ダイオードを駆動して発光するようにする駆動モジュールをさらに含む。
【０００７】
前記発光ダイオード表示装置において、１つの発光ダイオードセットが１つの画像を構成する。
【考案の効果】
【０００８】
本実用新案の発光ダイオード表示装置は、赤色、緑色、青色、白色の４つの発光ダイオード素子から構成される画素を採用し、且つ赤色、緑色及び青色の発光ダイオードにより混色される白色光の変わりに白色発光ダイオードにより白色光を使うので、電気エネルギーを節約することができる。即ち、赤色、緑色、青色の三色を混色させて得る白色を採用しないので、電気エネルギーを節約することができる。
【図面の簡単な説明】
【０００９】
【図１】赤色、緑色、青色から構成される三色の画素を使う従来の技術にかかわる発光ダイオード表示装置を示す図である。
【図２】本実用新案に係る発光ダイオード表示装置の各種のモジュールを示す図である。
【図３】赤色、緑色、青色、白色から構成される四色の画素を使う本実用新案に係る発光ダイオード表示装置を示す図である。
【考案を実施するための形態】
【００１０】
以下、添付する図面を参照しながら本実用新案の実施形態を詳しく説明する。
【００１１】
本実用新案の発光ダイオード（Light Emitting Diode、ＬＥＤ）表示装置は、赤色（Ｒ）、緑色（Ｇ）、青色（Ｂ）、白色（Ｗ）の四色の発光ダイオードから構成される画像を採用する。且つ、赤色、緑色、青色の三色を混色させて得る白色光の代わりに白色の発光ダイオードが発射する白色光を採用するので、電気消費量を低下させ、電気エネルギーを節約することができる。
【００１２】
本実用新案の発光ダイオード表示装置は、発光ダイオードディスプレイ、発光ダイオード表示ランプ或いは他のイメージ表示装置になることができる。図２は、発光ダイオード表示装置の各種のモジュールを示す図である。説明を簡単にするために、図面に本実用新案と相関する図面の符号しか示さない。
【００１３】
図２の発光ダイオード表示装置は、イメージに関するデータを受信するデータ受信ユニット１１と、前記データ受信ユニット１１が受信するイメージデータを他のデータに変換するデータ変換ユニット１２と、前記データ変換ユニット１２のデータを表示する発光ダイオード表示ユニット１３と、を含む。前記発光ダイオード表示ユニット１３は、赤色光ダイオード、緑色発光ダイオード、青色発光ダイオード、白色発光ダイオードから構成される複数の発光ダイオードセットを含む。本実用新案の実施形態で、１つの発光ダイオードセットが１つの画素になる。即ち、図３に示すように毎１つの画素２０は赤色、緑色、青色、白色の４つの発光ダイオード素子を含む。図３で、１つの画素が赤色、緑色、青色、白色の４つの発光ダイオード素子から構成されることを説明するために画素を４つしか示さないが、実の需要に従って画素の数量を決めることができる。
【００１４】
前記発光ダイオード表示ユニット１３は、別々に上述した赤色発光ダイオード素子、緑色発光ダイオード素子、青色発光ダイオード素子、白色発光ダイオード素子を駆動して発光するようにする駆動モジュールをさらに含む。前記駆動モジュールとして、定数シフトレジスタ（Constant shift register）を採用することができる。
【００１５】
上述したように、前記データ変換ユニット１２は、データ受信ユニット１１が受信するイメージデータを他のデータに変換する。前記データ変換ユニット１２がデータを変換する場合、まず、前記イメージデータの第一赤色グレイ値（Gray value）Ｒ０、第一緑色グレイ値Ｇ０、第一青色グレイ値Ｂ０の中の最小値を検出する。次に、検出した最小グレイ値を白色グレイ値Ｗ１にする、即ち、白色グレイ値Ｗ１＝ｍｉｎＲ０、Ｇ０或いはＢ０である。次に、白色グレイ値Ｗ１、第一赤色グレイ値Ｒ０、第一緑色グレイ値Ｇ０及び第一青色グレイ値Ｂ０により第二赤色グレイ値Ｒ１、第二緑色グレイ値Ｇ１及び第二青色グレイ値Ｂ１を得る。即ち、Ｒ１＝Ｒ０−Ｗ１、Ｇ１＝Ｇ０−Ｗ１、Ｂ１＝Ｂ０−Ｗ１である。
【００１６】
同じな環境で、白色発光ダイオード素子の発光効率が、赤色光ダイオード素子、緑色光ダイオード素子及び青色光ダイオード素子の発光効率より多く高い。例えば、電流が２０ｍＡであり、発光角度が同じな環境で、赤色光ダイオード素子の輝度が３００ｍｃｄであり、緑色光ダイオード素子の輝度が４００ｍｃｄであり、青色光ダイオード素子の輝度が１５０ｍｃｄであるが、白色光ダイオード素子の輝度が１７００ｍｃｄである。
【００１７】
上述したように、本実用新案の発光ダイオード表示装置は、赤色、緑色、青色、白色の四色の発光ダイオードから構成される画像を採用する。且つ、赤色、緑色、青色の三色を混色させて得る白色光の代わりに白色の発光ダイオードが発射する白色光を採用する。電流が２０ｍＡで前記発光ダイオードを駆動する場合、前記赤色光ダイオード素子の輝度級別が２５５であり、物理的な輝度が２００ｍｃｄであり、前記緑色光ダイオード素子の輝度級別が２５５であり、物理的な輝度が４００ｍｃｄであり、前記青色光ダイオード素子の輝度級別が２５５であり、物理的な輝度が７０ｍｃｄであり、赤色光、緑色光及び青色から構成される白色光の輝度級別が２５５であり、物理的な輝度が６７０ｍｃｄである。本実用新案で、赤色、緑色及び青色の３つの発光ダイオードの代わりに１つの白色光ダイオードを採用し、且つ駆動する電流が２０ｍＡより小さいので、６０％以上の電気を節約することができる。
【００１８】
一色のイメージを表示する場合、白色発光ダイオードを発光しなく、赤色、緑色及び青色の三色の発光ダイオードから構成される表示装置が一色のイメージを表示する。この時、本実用新案の発光ダイオード表示装置と従来技術の三色の発光ダイオード表示装置が同じになる。表示するイメージに赤色、緑色及び（或いは）青色がある場合、白色発光ダイオードがオンされて、赤色、緑色及び青色の発光ダイオードにより形成される混色を代える。即ち、赤色、緑色及び青色の発光ダイオードにより形成される混色光の変わりに白色発光ダイオードにより混色光を使う。例えば、赤色光のグレイ値が１２８ｍｃｄであり、緑色光のグレイ値が６４ｍｃｄであり、青色光のグレイ値が３２ｍｃｄである場合、前記データ変換ユニット１２により変換されたイメージデータのパラメーターが以下のように変る。即ち、赤色光のグレイ値が９６ｍｃｄになり、緑色光のグレイ値が３２ｍｃｄになり、青色光のグレイ値が０ｍｃｄになり、白色光のグレイ値が３２ｍｃｄになる。この場合、四色の発光ダイオードから構成される表示装置の総電流１１ｍＡであり、三色の発光ダイオードから構成される表示装置の総電流１７．５ｍＡよりので、電気エネルギーを節約することができる。
【００１９】
本実用新案の発光ダイオード表示装置は、赤色、緑色、青色、白色の４つの発光ダイオード素子から構成される画素を採用し、且つ赤色、緑色及び青色の発光ダイオードにより混色される白色光の変わりに白色発光ダイオードにより白色光を使うので、電気エネルギーを節約することができる。
【符号の説明】
【００２０】
１１  データ受信ユニット
１２  データ変換ユニット
１３  発光ダイオード表示ユニット
２０  画素
【図１】
0003170821.tif 000003
【図２】
0003170821.tif 000004
【図３】
0003170821.tif 000005